(57)【特許請求の範囲】
【請求項１】
ワイヤレス通信のための装置であって、
複数のデータチャネルと複数の制御チャネルとを有するタイムスロット構造を使用してリモートノードと通信するように構成された処理システム、なお、前記制御チャネルのおのおのは、複数の制御ユニットを備え、前記処理システムは、さらに、前記データチャネルについての複数の制御メッセージのうちの任意の１つを前記制御ユニットのうちの任意の１つに割り当てるように構成される；
を備え、
前記制御チャネルのうちの第１のものは、タイムスロットの中で前記制御チャネルのうちの第２のものに先行し、前記処理システムは、さらに、送信するリモートノードの処理能力の関数として前記制御メッセージのうちの１つを前記制御チャネルのうちの前記第２のものに割り当てるように構成されている、装置。
【請求項２】
ワイヤレス通信のための装置であって、
複数のデータチャネルと複数の制御チャネルとを有するタイムスロット構造を使用してリモートノードと通信するように構成された処理システム、なお、前記制御チャネルのおのおのは、複数の制御ユニットを備え、前記処理システムは、さらに、前記データチャネルについての複数の制御メッセージのうちの任意の１つを前記制御ユニットのうちの任意の１つに割り当てるように構成される；
を備え、
前記処理システムは、さらに、１つのタイムスロットの中で、前記制御チャネルのうちの第１のものの上で受信するように、そして前記制御チャネルのうちの第２のものの上で送信するように、構成されている、装置。
【請求項３】
ワイヤレス通信のための装置であって、
複数のデータチャネルと複数の制御チャネルとを有するタイムスロット構造を使用してリモートノードと通信するように構成された処理システム、なお、前記制御チャネルのおのおのは、複数の制御ユニットを備え、前記処理システムは、さらに、前記データチャネルについての複数の制御メッセージのうちの任意の１つを前記制御ユニットのうちの任意の１つに割り当てるように構成される；
を備え、
前記処理システムは、さらに、１つおきのタイムスロットの中で前記データチャネル上で送信することを備える第１モードと、連続したタイムスロットの中で前記データチャネル上で送信することを備える第２モードとの間で切り替るように構成されている、装置。
【請求項４】
前記処理システムは、さらに、前記第１モードにおいて、前記１つおきのタイムスロットのうちの少なくとも１つの中で、前記制御チャネルのうちの第１および第２のものの上で送信するように構成されており、前記処理システムは、さらに、前記連続したタイムスロットのうちの少なくとも１つの中で、前記第２モード中に、前記制御チャネルのうちの前記第１のものの上で受信するように、そして前記制御チャネルのうちの前記第２のものの上で送信するように、構成されている、請求項３記載の装置。
【請求項５】
前記制御メッセージのうちの１つは、送信の衝突回避モードについての要求を備える、請求項１乃至４のうちの１つに記載の装置。
【請求項６】
前記処理システムは、さらに、前記制御チャネルのうちの１つの上で前記制御メッセージのうちの前記１つを送信するように構成されており、前記処理システムは、さらに、前記制御メッセージのうちの前記１つに続いて少なくとも１つのタイムスロット中に１つまたは複数の異なる制御チャネル上で他のすべての制御メッセージをリモートノードと通信するように構成されている、請求項５記載の装置。
【請求項７】
前記制御メッセージのうちの第２のものは、送信の衝突回避モードについての要求を備え、前記処理システムは、さらに、前記制御チャネルのうちの第１のものの上で前記制御メッセージのうちの前記第２のものを受信するように構成されており、前記制御メッセージのうちの前記第２のものを受信することに応じて、前記メッセージに続いて少なくとも１つのタイムスロット中に制御メッセージを前記リモートノードと通信するための前記制御チャネルのうちの第２のものを使用することを回避するように構成されている、請求項１乃至４のうちの１つに記載の装置。
【請求項８】
前記処理システムは、さらに、１つのタイムスロットの中で前記制御チャネルのうちの少なくとも２つの上で前記制御メッセージのうちの１つを送信するように構成されている、請求項１乃至４のうちの１つに記載の装置。
【請求項９】
通信の方法であって、
複数の制御メッセージのうちの任意の１つを複数の制御ユニットのうちの任意の１つに割り当てることと；
複数のデータチャネルと複数の制御チャネルとを有するタイムスロット構造を使用してリモートノードと通信することと、なお、前記制御チャネルのおのおのは、前記複数の制御ユニットを備え、そして前記制御ユニットのおのおのは、前記データチャネルについての前記複数の制御メッセージのうちの任意の１つを搬送することができる；
を備え、
前記制御チャネルのうちの第１のものは、タイムスロットの中で前記制御チャネルのうちの第２のものに先行し、そして前記制御メッセージのうちの前記１つは、送信するリモートノードの処理能力の関数として前記制御チャネルのうちの前記第２のものの中で前記制御ユニットのうちの前記１つに割り当てられる、方法。
【請求項１０】
通信の方法であって、
複数の制御メッセージのうちの任意の１つを複数の制御ユニットのうちの任意の１つに割り当てることと；
複数のデータチャネルと複数の制御チャネルとを有するタイムスロット構造を使用してリモートノードと通信することと、なお、前記制御チャネルのおのおのは、前記複数の制御ユニットを備え、そして前記制御ユニットのおのおのは、前記データチャネルについての前記複数の制御メッセージのうちの任意の１つを搬送することができる；
１つのタイムスロットの中で、前記制御チャネルのうちの第１のものの上で受信することと、前記制御チャネルのうちの第２のものの上で送信することと；
を備える方法。
【請求項１１】
通信の方法であって、
複数の制御メッセージのうちの任意の１つを複数の制御ユニットのうちの任意の１つに割り当てることと；
複数のデータチャネルと複数の制御チャネルとを有するタイムスロット構造を使用してリモートノードと通信することと、なお、前記制御チャネルのおのおのは、前記複数の制御ユニットを備え、そして前記制御ユニットのおのおのは、前記データチャネルについての前記複数の制御メッセージのうちの任意の１つを搬送することができる；
１つおきのタイムスロットの中で前記データチャネル上で送信することを備える第１のモードと、連続したタイムスロットの中で前記データチャネル上で送信することを備える第２のモードとの間で切り替ること；
を備える方法。
【請求項１２】
前記第１のモードにおいて、前記１つおきのタイムスロットのうちの少なくとも１つの中で、前記制御チャネルのうちの第１および第２のものの上で送信することと、前記連続したタイムスロットのうちの少なくとも１つの中で、前記第２のモード中に、前記制御チャネルのうちの前記第１のものの上で受信する、そして前記制御チャネルのうちの前記第２のものの上で送信することと、をさらに備える請求項１１記載の方法。
【請求項１３】
前記制御メッセージのうちの第２のものは、衝突回避モードの送信についての要求を備える、請求項９乃至１２のうちの１つに記載の方法。
【請求項１４】
前記制御チャネルのうちの第１のものの上で前記制御メッセージのうちの前記第２のものを送信することと、前記制御メッセージのうちの前記第２のものに続いて少なくとも１つのタイムスロット中に前記制御チャネルのうちの第２のものの上で他のすべての制御メッセージをリモートノードと通信することと、をさらに備える請求項１３記載の方法。
【請求項１５】
前記制御チャネルのうちの第１のものの上で前記制御メッセージのうちの前記第２のものを受信することと、なお、前記制御メッセージのうちの前記第２のものは、送信の衝突回避モードについての要求を備える；
前記制御メッセージのうちの前記第２のものを受信することに応じて、前記メッセージに続いて少なくとも１つのタイムスロット中に制御メッセージを前記リモートノードと通信するための前記制御チャネルのうちの第２のものを使用することを回避することと；  をさらに備える請求項９乃至１２のうちの１つに記載の方法。
【請求項１６】
１つのタイムスロットの中で前記制御チャネルのうちの少なくとも２つの上で前記制御メッセージのうちの前記１つを送信すること、
をさらに備える請求項９乃至１４のうちの１つに記載の方法。
【請求項１７】
ワイヤレス通信のための装置であって、
複数のデータチャネルと複数の制御チャネルとを有するタイムスロット構造を使用してリモートノードと通信するための手段と、なお、前記制御チャネルのおのおのは、複数の制御ユニットを備える；
前記データチャネルについての複数の制御メッセージのうちの任意の１つを前記制御ユニットのうちの任意の１つに割り当てるための手段と；
を備え、
前記制御チャネルのうちの第１のものは、タイムスロットの中で前記制御チャネルのうちの第２のものに先行し、そして前記装置は、送信するリモートノードの処理能力の関数として前記制御メッセージのうちの１つを前記制御チャネルのうちの前記第２のものに割り当てるための手段、をさらに備える、装置。
【請求項１８】
ワイヤレス通信のための装置であって、
複数のデータチャネルと複数の制御チャネルとを有するタイムスロット構造を使用してリモートノードと通信するための手段と、なお、前記制御チャネルのおのおのは、複数の制御ユニットを備える；
前記データチャネルについての複数の制御メッセージのうちの任意の１つを前記制御ユニットのうちの任意の１つに割り当てるための手段と；
１つのタイムスロットの中で、前記制御チャネルのうちの第１のものの上で受信する、そして前記制御チャネルのうちの第２のものの上で送信するための手段と；
を備える装置。
【請求項１９】
ワイヤレス通信のための装置であって、
複数のデータチャネルと複数の制御チャネルとを有するタイムスロット構造を使用してリモートノードと通信するための手段と、なお、前記制御チャネルのおのおのは、複数の制御ユニットを備える；
前記データチャネルについての複数の制御メッセージのうちの任意の１つを前記制御ユニットのうちの任意の１つに割り当てるための手段と；
１つおきのタイムスロットの中で前記データチャネル上で送信することを備える第１のモードと、連続したタイムスロットの中で前記データチャネル上で送信することを備える第２のモードとの間で切り替るための手段と；
を備える装置。
【請求項２０】
前記第１のモードにおいて、前記１つおきのタイムスロットのうちの少なくとも１つの中で、前記制御チャネルのうちの第１および第２のものの上で送信するための手段と、前記連続したタイムスロットのうちの少なくとも１つの中で、前記第２のモード中に、前記制御チャネルのうちの前記第１のものの上で受信する、そして前記制御チャネルのうちの前記第２のものの上で送信するための手段と、をさらに備える請求項１９記載の装置。
【請求項２１】
前記制御メッセージのうちの１つは、衝突回避モードの送信についての要求を備える、請求項１７乃至２０のうちの１つに記載の装置。
【請求項２２】
前記制御チャネルのうちの１つの上で前記制御メッセージのうちの前記１つを送信するための手段と、前記制御メッセージのうちの前記１つに続いて少なくとも１つのタイムスロット中に１つまたは複数の異なる制御チャネル上で他のすべての制御メッセージをリモートノードと通信するための手段と、をさらに備える請求項２１記載の装置。
【請求項２３】
前記制御チャネルのうちの第１のものの上で前記制御メッセージのうちの第２のものを受信するための手段と、なお、前記制御メッセージのうちの前記第２のものは、送信の衝突回避モードについての要求を備える；
前記制御メッセージのうちの前記第２のものを受信することに応じて、前記メッセージに続いて少なくとも１つのタイムスロット中に制御メッセージをリモートノードと通信するための前記制御チャネルのうちの第２のものを使用することを回避するための手段と、をさらに備える請求項１７乃至２０のうちの１つに記載の装置。
【請求項２４】
１つのタイムスロットの中で前記制御チャネルのうちの少なくとも２つの上で前記制御メッセージのうちの１つを送信するための手段、をさらに備える請求項１７乃至２２のうちの１つに記載の装置。
【請求項２５】
記録されたプログラムを有するコンピュータ可読記憶媒体であって、前記プログラムがコンピュータに請求項９乃至１６のうちの１つに記載の方法の各手順を実行させる、コンピュータ可読記憶媒体。
【請求項２６】
ワイヤレス通信のためのアクセス端末であって、
複数のデータチャネルと複数の制御チャネルとを有するタイムスロット構造を使用してリモートノードと通信するように構成された処理システムと、なお、前記制御チャネルのおのおのは、複数の制御ユニットを備え、前記処理システムは、さらに、前記データチャネルについての複数の制御メッセージのうちの任意の１つを前記制御ユニットのうちの任意の１つに割り当てるように構成される；
ユーザが前記処理システムと前記リモートノードとの間の通信を制御することを可能にするように構成されたユーザインタフェースと；
を備え、前記制御チャネルのうちの第１のものは、タイムスロットの中で前記制御チャネルのうちの第２のものに先行し、前記処理システムは、さらに、送信するリモートノードの処理能力の関数として前記制御メッセージのうちの１つを前記制御チャネルのうちの前記第２のものに割り当てるように構成されている、アクセス端末。
【請求項２７】
ワイヤレス通信のためのアクセス端末であって、
複数のデータチャネルと複数の制御チャネルとを有するタイムスロット構造を使用してリモートノードと通信するように構成された処理システムと、なお、前記制御チャネルのおのおのは、複数の制御ユニットを備え、前記処理システムは、さらに、前記データチャネルについての複数の制御メッセージのうちの任意の１つを前記制御ユニットのうちの任意の１つに割り当てるように構成される；
ユーザが前記処理システムと前記リモートノードとの間の通信を制御することを可能にするように構成されたユーザインタフェースと；
を備え、
前記処理システムは、さらに、１つのタイムスロットの中で、前記制御チャネルのうちの第１のものの上で受信するように、そして前記制御チャネルのうちの第２のものの上で送信するように、構成されている、アクセス端末。
【請求項２８】
ワイヤレス通信のためのアクセス端末であって、
複数のデータチャネルと複数の制御チャネルとを有するタイムスロット構造を使用してリモートノードと通信するように構成された処理システムと、なお、前記制御チャネルのおのおのは、複数の制御ユニットを備え、前記処理システムは、さらに、前記データチャネルについての複数の制御メッセージのうちの任意の１つを前記制御ユニットのうちの任意の１つに割り当てるように構成される；
ユーザが前記処理システムと前記リモートノードとの間の通信を制御することを可能にするように構成されたユーザインタフェースと；
を備え、
前記処理システムは、さらに、１つおきのタイムスロットの中で前記データチャネル上で送信することを備える第１モードと、連続したタイムスロットの中で前記データチャネル上で送信することを備える第２モードとの間で切り替るように構成されている、アクセス端末。
【請求項２９】
前記処理システムは、さらに、前記第１モードにおいて、前記１つおきのタイムスロットのうちの少なくとも１つの中で、前記制御チャネルのうちの第１および第２のものの上で送信するように構成されており、前記処理システムは、さらに、前記連続したタイムスロットのうちの少なくとも１つの中で、前記第２モード中に、前記制御チャネルのうちの前記第１のものの上で受信するように、そして前記制御チャネルのうちの前記第２のものの上で送信するように、構成されている、請求項２８記載のアクセス端末。
【請求項３０】
前記制御メッセージのうちの１つは、送信の衝突回避モードについての要求を備える、請求項２７乃至２９のうちの１つに記載のアクセス端末。
【請求項３１】
前記処理システムは、さらに、前記制御チャネルのうちの１つの上で前記制御メッセージのうちの前記１つを送信するように構成されており、前記処理システムは、さらに、前記制御メッセージのうちの前記１つに続いて少なくとも１つのタイムスロット中に１つまたは複数の異なる制御チャネル上で他のすべての制御メッセージをリモートノードと通信するように構成されている、請求項３０記載のアクセス端末。
【請求項３２】
前記制御メッセージのうちの第２のものは、送信の衝突回避モードについての要求を備え、前記処理システムは、さらに、前記制御チャネルのうちの第１のものの上で前記制御メッセージのうちの前記第２のものを受信するように構成されており、前記制御メッセージのうちの第２のものを受信することに応じて、前記メッセージに続いて少なくとも１つのタイムスロット中に制御メッセージを前記リモートノードと通信するための前記制御チャネルのうちの第２のものを使用することを回避するように構成されている、請求項２７乃至２９のうちの１つに記載のアクセス端末。
【請求項３３】
前記処理システムは、さらに、１つのタイムスロットの中で前記制御チャネルのうちの少なくとも２つの上で前記制御メッセージのうちの１つを送信するように構成されている、請求項２７乃至２９のうちの１つに記載のアクセス端末。
【請求項３４】
ネットワークに対してリモートノードについてのバックホールをサポートするように構成されたワイヤレスネットワークアダプタと；
複数のデータチャネルと複数の制御チャネルとを有するタイムスロット構造を使用して前記リモートノードと通信するように構成された処理システムと、なお、前記制御チャネルのおのおのは、複数の制御ユニットを備え、前記処理システムは、さらに、前記データチャネルについての複数の制御メッセージのうちの任意の１つを前記制御ユニットのうちの任意の１つに割り当てるように構成されている；
を備え、
前記制御チャネルのうちの第１のものは、タイムスロットの中で前記制御チャネルのうちの第２のものに先行し、前記処理システムは、さらに、送信するリモートノードの処理能力の関数として前記制御メッセージのうちの第１のものを前記制御チャネルのうちの前記第２のものに割り当てるように構成されている、アクセスポイント。
【請求項３５】
ネットワークに対してリモートノードについてのバックホールをサポートするように構成されたワイヤレスネットワークアダプタと；
複数のデータチャネルと複数の制御チャネルとを有するタイムスロット構造を使用して前記リモートノードと通信するように構成された処理システムと、なお、前記制御チャネルのおのおのは、複数の制御ユニットを備え、前記処理システムは、さらに、前記データチャネルについての複数の制御メッセージのうちの任意の１つを前記制御ユニットのうちの任意の１つに割り当てるように構成されている；
を備え、
前記処理システムは、さらに、１つのタイムスロットの中で、前記制御チャネルのうちの第１のものの上で受信するように、そして前記制御チャネルのうちの第２のものの上で送信するように、構成されている、アクセスポイント。
【請求項３６】
ネットワークに対してリモートノードについてのバックホールをサポートするように構成されたワイヤレスネットワークアダプタと；
複数のデータチャネルと複数の制御チャネルとを有するタイムスロット構造を使用して前記リモートノードと通信するように構成された処理システムと、なお、前記制御チャネルのおのおのは、複数の制御ユニットを備え、前記処理システムは、さらに、前記データチャネルについての複数の制御メッセージのうちの任意の１つを前記制御ユニットのうちの任意の１つに割り当てるように構成されている；
を備え、
前記処理システムは、さらに、１つおきのタイムスロットの中で前記データチャネル上で送信することを備える第１モードと、連続したタイムスロットの中で前記データチャネル上で送信することを備える第２モードとの間で切り替るように構成されている、アクセスポイント。
【請求項３７】
前記処理システムは、さらに、前記第１モードにおいて、前記１つおきのタイムスロットのうちの少なくとも１つの中で、前記制御チャネルのうちの第１および第２のものの上で送信するように構成されており、前記処理システムは、さらに、前記連続したタイムスロットのうちの少なくとも１つの中で、前記第２モード中に、前記制御チャネルのうちの前記第１のものの上で受信するように、そして前記制御チャネルのうちの前記第２のものの上で送信するように、構成されている、請求項３６記載のアクセスポイント。
【請求項３８】
前記制御メッセージのうちの第１のものは、送信の衝突回避モードについての要求を備える、請求項３４乃至３７のうちの１つに記載のアクセスポイント。
【請求項３９】
前記処理システムは、さらに、前記制御チャネルのうちの１つの上で前記制御メッセージのうちの前記１つを送信するように構成されており、前記処理システムは、さらに、前記制御メッセージのうちの前記１つに続いて少なくとも１つのタイムスロット中に１つまたは複数の異なる制御チャネル上で他のすべての制御メッセージをリモートノードと通信するように構成されている、請求項３８記載のアクセスポイント。
【請求項４０】
前記制御メッセージのうちの第２のものは、送信の衝突回避モードについての要求を備え、前記処理システムは、さらに、前記制御チャネルのうちの第１のものの上で前記制御メッセージのうちの前記第２のものを受信するように構成されており、前記制御メッセージのうちの第２のものを受信することに応じて、前記メッセージに続いて少なくとも１つのタイムスロット中に制御メッセージを前記リモートノードと通信するための前記制御チャネルのうちの第２のものを使用することを回避するように構成されている、請求項３４乃至３７のうちの１つに記載のアクセスポイント。
【請求項４１】
前記処理システムは、さらに、１つのタイムスロットの中で前記制御チャネルのうちの少なくとも２つの上で前記制御メッセージのうちの１つを送信するように構成されている、請求項３４乃至３７のうちの１つに記載のアクセスポイント。
【発明の詳細な説明】
【技術分野】
【０００１】
本開示は、一般にワイヤレス通信に関し、そしてより詳細には、但し排他的ではないが、計画外の(unplanned)ワイヤレスネットワークのためのフレキシブル制御チャネルに関する。
【背景技術】
【０００２】
ワイヤレス通信システムは、意図されたアプリケーションの要件に応じて様々なやり方で展開されることができる。例えば、計画された展開は、シームレスな接続性が、比較的広いエリア上で望まれるセルラネットワークなどのアプリケーションのために利用されることができる。そのようなネットワークの中の干渉を低減するために、ネットワークのワイヤレスデバイスによって使用される１つまたは複数のチャネルは、ネットワーク全体を通して定義されることができる。
【０００３】
近年、屋内のセルラの使用と、ホームアクセスポイントとについてのローカルエリアネットワークをサポートするために、ワイヤレスネットワークの低コストのフレキシブルな展開に向かう傾向がますます増大している。結果として、システム設計は、計画された、スムーズな干渉モデルから離れて、（１）部分負荷(partial loading)に起因したバースト性干渉と、（２）ＲＦリンクの観点から最良ではない可能性があるアクセスポイントを通したサービスと、に対してより堅牢である必要があるモデルへと移動してきている。これは、達成されることができる最低の信号対干渉雑音比(signal-to-interference noise ratios)（ＳＩＮＲ）、ならびに起こるトラフィック多重化の程度に関する設計において、より大きな不確実性をもたらす。そのような設定におけるデータ送信は、伝統的に、完全な動的干渉回避技法と、レート適応(rate adaptation)技法と、ハイブリッド自動反復要求(hybrid automatic repeat-request)（ＡＲＱ）技法とについて処理されてきているが、制御送信は、これらの技法の利点を享受してはいない。
【０００４】
したがって、当技術分野においては、必要に応じてのもっと大きな堅牢さ、ならびにトラフィック要求に対するフレキシビリティを可能にする制御送信における改善のための必要性が存在している。
【発明の概要】
【０００５】
本開示の一態様においては、ワイヤレス通信のための装置は、複数のデータチャネルと複数の制御チャネルとを有するタイムスロット構造(timeslot structure)を使用してリモートノードと通信するように構成された処理システム、を含んでおり、そこで、制御チャネルのおのおのは、複数の制御ユニットを備え、処理システムは、さらに、データチャネルについての複数の制御メッセージのうちの任意の１つを制御ユニットのうちの任意の１つに割り当てるように構成されている。
【０００６】
本開示の別の態様においては、通信の方法は、複数のデータチャネルと複数の制御チャネルとを有するタイムスロット構造を使用してリモートノードと通信することと、なお制御チャネルのおのおのは、複数の制御ユニットを備え、そしてそれらの制御ユニットのおのおのは、データチャネルについての複数の制御メッセージのうちの任意の１つを搬送することができる；制御メッセージのうちの１つを制御ユニットのうちの１つに割り当てることと；を含む。
【０００７】
本開示のさらに別の態様においては、ワイヤレス通信のための装置は、複数のデータチャネルと複数の制御チャネルとを有するタイムスロット構造を使用してリモートノードと通信するための手段と、なお制御チャネルのおのおのは、複数の制御ユニットを備える；データチャネルについての複数の制御メッセージのうちの任意の１つを制御ユニットのうちの任意の１つに割り当てるための手段と；を備える。
【０００８】
本開示のさらなる一態様においては、ワイヤレス通信のためのコンピュータプログラムプロダクト(computer-program product)は、複数のデータチャネルと複数の制御チャネルとを有するタイムスロット構造を使用してリモートノードと通信するように、なお制御チャネルのおのおのは、複数の制御ユニットを備える；そしてデータチャネルについての複数の制御メッセージのうちの任意の１つを制御ユニットのうちの任意の１つに割り当てるように；処理システムによって実行可能な命令を備える機械可読媒体、を含んでいる。
【０００９】
本開示のまださらなる一態様においては、ワイヤレス通信のためのアクセス端末は、複数のデータチャネルと複数の制御チャネルとを有するタイムスロット構造を使用してリモートノードと通信するように構成された処理システムと、なお制御チャネルのおのおのは、複数の制御ユニットを備え、処理システムは、さらに、データチャネルについての複数の制御メッセージのうちの任意の１つを制御ユニットのうちの任意の１つに割り当てるように構成されている；ユーザが、処理システムと、リモートノードとの間の通信を制御することを可能にするように構成されたユーザインターフェースと；を含む。
【００１０】
本開示の別の態様においては、アクセスポイントは、ネットワークに対してリモートノードについてのバックホール(backhaul)をサポートするように構成されたワイヤレスネットワークアダプタと、複数のデータチャネルと複数の制御チャネルとを有するタイムスロット構造を使用してリモートノードと通信するように構成された処理システムと、を含み、そこで、制御チャネルのおのおのは、複数の制御ユニットを備え、処理システムは、さらに、データチャネルについての複数の制御メッセージのうちの任意の１つを制御ユニットのうちの任意の１つに割り当てるように構成されている。
【００１１】
本発明の他の態様は、以下の詳細な説明から当業者に対しては簡単に明らかになり、そこで、本発明の様々な態様は、例証を経由して示され、そして説明されることが、理解される。実現されるように、本発明は、他の、そして異なるコンフィギュレーションおよびインプリメンテーションが可能であり、そしてそのいくつかの詳細は、様々な他の観点において、すべて本開示の範囲を逸脱することなく修正が可能である。したがって、図面および詳細な説明は、本質的に例示的なものとして、そして限定的ではないものとして見なされるべきである。
【００１２】
添付する図面において、ワイヤレス通信システムの様々な態様が限定のためではなく例示のために示されている。
【図面の簡単な説明】
【００１３】
【図１】図１は、ワイヤレスネットワーク１００の一例を示す概念図である。
【図２】図２は、ワイヤレスネットワークの中の２つのワイヤレスノードの間の通信をサポートするタイムスロット構造の一例を示す概念図である。
【図３】図３は、ワイヤレスネットワークの中の２つのワイヤレスノードの間の非対称のデータフローをサポートするタイムスロット構造の一例を示す概念図である。
【図４Ａ】図４Ａは、ワイヤレスネットワークの中の２つのワイヤレスノードの間の非対称のデータフローをサポートするタイムスロット構造のより詳細な一例を示す概念図である。
【図４Ｂ】図４Ｂは、ワイヤレスネットワークの中の２つのワイヤレスノードの間の対称的なデータフローへの戻す変更(change back)をサポートするタイムスロット構造の一例を示す概念図である。
【図５】図５は、ホームアクセスポイント(home access point)（ＨＡＰ）設定の中で起こり得るジャマー状況(jammer situation)の一例を示す概念図である。
【図６】図６は、ジャマー回避モード(jammer avoidance mode)のオペレーションをサポートするタイムスロット構造の一例を示す概念図である。
【図７】図７は、ＯＦＤＭシンボルとして構成される制御チャネルの一例を示す概念図である。
【図８】図８は、ワイヤレスノードの機能の一例を示すブロック図である。
【図９】図９は、処理システムの機能の一例を示すブロック図である。
【詳細な説明】
【００１４】
ワイヤレス通信システムの様々な態様は、例として、そして限定としてではなく、添付図面の中に示されている。本開示の様々な態様が、以下に説明される。ここにおける教示は、多種多様な形態で実施されることができることと、ここにおいて開示される特定の任意の構造、機能、またはそれらの両方は、単に代表的なものにすぎないこととは、明らかなはずである。ここにおける教示に基づいて、当業者は、ここにおいて開示される一態様が、他の任意の態様とは独立にインプリメントされることができることと、２つ以上のこれらの態様が、様々なやり方で組み合わされることができることと、を理解すべきである。例えば、ここにおいて述べられる任意の数の態様を使用して、装置は、インプリメントされることができ、あるいは方法は、実行されることができる。さらに、ここにおいて述べられる１つまたは複数の態様に加えて、あるいはそれらの態様以外の他の構造、機能、または構造および機能を使用して、そのような装置は、インプリメントされることができ、あるいはそのような方法は、実行されることができる。さらに、一態様は、請求項の少なくとも１つの要素を備えることができる。
【００１５】
図１は、ワイヤレスネットワーク１００の一例を示す概念図である。ワイヤレスネットワーク１００は、いくつかのワイヤレスノード１０２と共に示される。ワイヤレスノードは、受信し、送信し、あるいはその両方をすることができる。以下に続く考察においては、用語「受信ノード(receiving node)」は、受信しているワイヤレスノードを言及するために使用されることができ、そして用語「送信ノード(transmitting node)」は、送信しているワイヤレスノードを言及するために使用されることができる。これらの指定は、ワイヤレスノードが、送信機能と受信機能との両方を実行することができないことを意味してはいない。
【００１６】
ワイヤレスノードは、アクセスポイント、中継点、アクセス端末、またはそれらの任意の組合せとして機能することができる。図１に示される例においては、いくつかのワイヤレスノード１０２Ａ〜１０２Ｂは、いくつかのアクセス端末１０２Ｃに対してバックホールサービス(backhaul services)を提供するように一緒に機能する。ネットワーク１００は、インターフェースを別のネットワーク（例えば、セルラネットワーク、インターネットサービスプロバイダ(Internet service provider)（ＩＳＰ）、インターネットなど）（図示されず）に対して提供することによりアクセスポイントとして機能するワイヤレスノード１０２Ａを含んでいる。ネットワーク１００はまた、アクセス端末１０４Ｃをアクセスポイント１０２Ａに対して接続する中継点として機能する２つのワイヤレスノード１０２Ｂ１および１０２Ｂ２も含む。
【００１７】
アクセスポイント１０２Ａは、中継点１０２Ｂと、アクセス端末１０２Ｃとの無線通信をサポートするために、多数の異なるワイヤレスアクセスプロトコルのうちの１つを使用することができる。例として、アクセスポイント１０２Ａは、エボリューションデータ最適化(Evolution-Data Optimized)（ＥＶ−ＤＯ）、ウルトラモバイルブロードバンド(Ultra Mobile Broadband)（ＵＭＢ）、８０２．１１、または他の適切な任意のアクセスプロトコルをサポートすることができる。アクセスポイント１０２Ａはまた、別のネットワーク（例えば、セルラネットワーク、インターネットサービスプロバイダ（ＩＳＰ）、インターネットなど）（図示されず）を用いて、同じまたは異なるアクセスプロトコルをサポートすることもできる。例として、アクセスポイント１０２Ａは、８０２．１１インターフェースを中継点１０２Ｂおよびアクセス端末１０２Ｃに対して提供し、そしてＥＶ−ＤＯインターフェースを他のネットワークに対して提供することができる。特定の任意のネットワークのために使用される実際のワイヤレスアクセスプロトコルは、特定のアプリケーションと、システムに課される全般的な設計制約条件とに依存することになる。
【００１８】
４つのアクセス端末１０２Ｃが、図１に示されている。この例においては、２つのアクセス端末１０２Ｃ１および１０２Ｃ２は、中継点１０２Ｂ１を通してアクセスポイント１０２Ａに接続され、１つのアクセスポイント１０２Ｃ３は、中継点１０２Ｂ２を通してアクセスポイント１０２Ａに接続され、そして１つのアクセスポイント１０２Ｃ４は、アクセスポイント１０２Ａに直接に接続される。アクセスポイント１０２Ａと、アクセス端末１０２Ｃとの間の接続は、任意の数の関連のあるファクタ（例えば負荷、障害(failure)、移動性(mobility)など）に基づいて動的に再構成されることができる。ワイヤレスネットワーク１００のいくつかのコンフィギュレーションにおいては、アクセス端末１０２Ｃは、複数の(multiple)中継点１０２Ｂを通してアクセスポイント１０２Ａに接続され、あるいは１つまたは複数の中継点１０２Ｂを通して複数の(multiple)フロー（例えば、電話技術(telephony)、メッセージングなど）をサポートすることができる。後者の一例として、アクセスポイント１０２Ａと、アクセス端末１０２Ｃ２との間の第１のフローは、中継点１０２Ｂ１を通して経路指定されることができ、そしてアクセスポイント１０２Ａと、アクセス端末１０２Ｃ２との間の第２のフローは、中継点１０２Ｂ２を通して経路指定されることができる。
【００１９】
ワイヤレスネットワーク１００のいくつかのコンフィギュレーションにおいては、ワイヤレスノードの間のフローは、時分割多重化スキーム(time division multiplexing scheme)を使用して保持されることができる。例として、ネットワーク１００の中の各ワイヤレスノード１０２は、送信し、そして受信するために、指定されたタイムスロットを割り当てられることができる。例えば、アクセスポイント１０２Ａは、奇数番号付けされたタイムスロット中にアクセス端末１０２Ｃ４に対して送信することができ、そしてアクセス端末１０２Ｃ４は、偶数番号付けされたタイムスロット中にアクセスポイント１０２Ａに対して送信することができる。同様に、アクセスポイント１０２Ａは、奇数番号付けされたタイムスロット中に中継点１０２Ｂ１および１０２Ｂ２に対して送信することができ、そして中継点１０２Ｂ１および１０２Ｂ２は、偶数番号付けされたタイムスロット中にアクセス端末１０２Ｃ１、１０２Ｃ２、および１０２Ｃ３に対して送信することができる。
【００２０】
図２は、ワイヤレスネットワークの中の２つのワイヤレスノードの間の通信をサポートするタイムスロット構造の一例を示す概念図である。この例においては、第１のワイヤレスノードから第２のワイヤレスノードへの送信は、２０２Ａによって指定され、そして第２のワイヤレスノードから第１のワイヤレスノードへの送信は、２０２Ｂによって指定される。より詳細には、タイムスロット１に示されるタイムスロット構造２０４Ａは、第１のワイヤレスノードから第２のワイヤレスノードへの送信を表し、タイムスロット２に示されるタイムスロット構造２０４Ｂは、第２のワイヤレスノードから第１のワイヤレスノードへの送信を表し、タイムスロット３に示されるタイムスロット構造２０４Ｃは、第１のワイヤレスノードから第２のワイヤレスノードへの送信を表し、そしてタイムスロット４に示されるタイムスロット構造２０４Ｄは、第２のワイヤレスノードから第１のワイヤレスノードへの送信を表す。
【００２１】
各タイムスロットは、３つのデータチャネル２０６Ａ〜２０６Ｃと、３つの制御チャネル２０８、２１０、および２１２と、を含む。制御チャネルは、データチャネル２０６Ａ〜２０６Ｃの中で搬送される情報についての制御メッセージを提供するために使用されることができる。以下の例においては、制御メッセージは、タイムスロット４における第２のワイヤレスノードから第１のワイヤレスノードへの送信をサポートする要求／認可スキーム(request/grant scheme)の観点から説明されることになる。
【００２２】
タイムスロット１において、タイムスロット４においてデータを受信しようと意図する、ネットワークの中の１つまたは複数のワイヤレスノードは、リソース利用メッセージ(resource utilization message)（ＲＵＭ）を送信する。例として、そして図１および２を参照して、中継点１０２Ｂ１は、中継点１０２Ｂ２が、アクセス端末１０２Ｃ３から受信するようにスケジュールしようと意図するのと同時に、アクセス端末１０２Ｃ２から受信するようにスケジュールしようと意図することができる。中継点１０２Ｂ２とアクセス端末１０２Ｃ２との間の距離と、アクセス端末１０２Ｃ２の送信パワーとに応じて、アクセス端末１０２Ｃ２からの送信は、中継点１０２Ｂ２における受信と干渉する可能性がある。その場合には、中継点１０２Ｂ２は、それが、干渉を緩和するために衝突回避モードの送信を望むことを他の送信ノードに対して示すスケジュールされた送信の前に、制御チャネル２０８、２１０、および２１２のうちの１つの上でＲＵＭを送信することができる。いくつかのコンフィギュレーションにおいては、ＲＵＭは、受信ノードが不利な立場に置かれる（例えば、それが、受信しながら見る干渉に起因して）ことだけでなく、受信ノードが不利な立場に置かれる程度も示すように重み付けされることができる。ＲＵＭを受信する送信ノードは、適切な応答を決定するために、それがＲＵＭを受信していること、ならびにその重みを利用することができる。例として、アクセス端末１０２Ｃ２が、中継点１０２Ｂ２が、中継点１０２Ｂ１よりも不利な立場に置かれることを決定する場合、アクセス端末１０２Ｃ２は、送信することを控えることを選ぶことができ、あるいは中継点１０２Ｂ２と干渉することを回避するためにその送信パワーを低減することができる。代わりに、アクセス端末１０２Ｃ２が、それ自体の中継点１０２Ｂ１が中継点１０２Ｂ２（またはＲＵＭを送信した他の任意の受信ノード）よりも不利な立場に置かれることを決定する場合に、アクセス端末１０２Ｃ２は、他のノードからのＲＵＭを無視することができる。その場合には、アクセス端末１０２Ｃ２は、送信することを選ぶことができる。
【００２３】
上記例においては、アクセス端末１０２Ｃ３が、それがタイムスロット４中に送信することができることを決定する場合、それは、タイムスロット２中に制御チャネル２０８、２１０、および２１２のうちの１つの上で中継点１０２Ｂ２に対して送信すべき「要求」を送信する。上記で論じられるＲＵＭベースのスキームに従って、他の隣接する送信ノードは、それら自体の受信ノードが中継点１０２Ｂ２よりも不利な立場に置かれない場合に、タイムスロット２中に送信すべき「要求」を送信しなくてもよい。
【００２４】
「要求」は、様々な形態を取ることができる。例として、「要求」は、データが送信されるべきタイムスロットとデータチャネルと（例えば、タイムスロット４と、すべてのデータチャネル２０６Ａ〜２０６Ｃと）に関する情報と、データに関する情報（例えば、データのタイプおよびサービス品質予想、送信レート情報、送信パワーなど）と、を含むことができる。さらに、パイロット信号は、要求と共に送信されることができる。パイロット信号は、知られているパワースペクトル密度またはパワーレベルで送信されることができる。このようにして、中継点１０２Ｂ２による要求とパイロット信号との受信のすぐ後に、タイムスロット４中のデータ送信についての適切な送信パラメータは、決定されることができる。そのようなパラメータは、例として、データ送信レート、符号化などを含むことができる。
【００２５】
「要求」に応じて、中継点１０２Ｂ２は、タイムスロット３中に制御チャネル２０８、２１０、および２１２のうちの１つの上でアクセス端末１０２Ｃ３に対して「認可」を送信する。「認可」は、「要求」とパイロット信号とからの中継点１０２Ｂ２によって決定されるパラメータ（例えば、データ送信レート、符号化など）を含むことができる。
【００２６】
「認可」の受信のすぐ後に、アクセス端末１０２Ｃ３は、タイムスロット４中に１つまたは複数のデータチャネル２０６Ａ〜２０６Ｃ上でデータを送信する。中継点１０２Ｂ２は、タイムスロット５（図示されず）中に制御チャネル２０８、２１０、および２１２のうちの１つの上で「肯定応答」を送信することにより、データの受信に肯定応答することができる。
【００２７】
上記要求−認可スキームは、スライディングサイクル(sliding cycle)としてインプリメントされることができ、その結果、データは、あらゆる送信タイムスロット中に送信されることができることが、理解されるであろう。例として、タイムスロット１中に、中継点１０２Ｂ２は、それがタイムスロット４中に送信を受信するようにスケジュールされることを示す、第１の制御チャネル２０８上のＲＵＭと、以前のタイムスロット（図示されず）中に受信される送信に肯定応答すべき、第２の制御チャネル２１０上の「肯定応答」と、アクセス端末１０２ＣＢ３が、タイムスロット２中に送信することを可能にする、第３の制御チャネル２１２上の「認可」と、タイムスロット３中にアクセス端末１０２Ｃ３に対して送信するように要求する、第３の制御チャネル２１２上の「要求」と、を送信することができる。中継点１０２Ｂ２は、以前のタイムスロット（図示されず）中にアクセス端末１０２Ｃ３から受信される「認可」に応じて、タイムスロット１中に１つまたは複数のデータチャネル２０６Ａ〜２０６Ｃ上でデータを送信することもできる。この例において提供される制御チャネルに対する制御メッセージのマッピングは、例証としてのみサーブするように意図される。様々な他の静的および動的なマッピングスキームは、特定のアプリケーションと、システムに課される全般的な設計制約条件とに応じてインプリメントされることができる。
【００２８】
タイムスロット構造においてチャネルを制御する制御メッセージの動的マッピングは、いくつかの状況において、ある種の利点を提供することができる。一例が、次に図３および４Ａ〜４Ｂを参照して提示されることになり、ここでフレキシブル制御チャネルマッピングスキームが、非対称データフローをサポートするために使用されることができる。
【００２９】
図３は、ワイヤレスネットワークの中の２つのワイヤレスノードの間の非対称なデータフローをサポートするタイムスロット構造の一例を示す概念図である。この例においては、第１のワイヤレスノードから第２のワイヤレスノードへの送信は、３０２Ａによって指定され、そして第２のワイヤレスノードから第１のワイヤレスノードへの送信は、３０２Ｂによって指定される。第１のワイヤレスノードは、最初に、奇数番号付けされたタイムスロット３０４Ａ、３０４Ｃ中に第２のワイヤレスノードへと送信するように構成され、そして第２のワイヤレスノードは、最初に、偶数番号付けされたタイムスロット３０４Ｂ、３０４Ｄ中に第１のワイヤレスノードへと送信するように構成されている。図示するためだけに、そして限定することなく、以下の例は、図１の中継点１０２Ｂ２である第１のワイヤレスノードと、アクセス端末１０２Ｃ３である第２のワイヤレスノードとを用いて提示されることになる。さらに、様々な制御メッセージ割当ては、制御メッセージが、異なる制御チャネルに対してマッピングされることができるという理解と共に、説明を明確にするために提示されることになる。
【００３０】
図１および３に示されるように、時分割多重化スキームは、トラフィック状態における変更をサポートするように動的に変更されることができる。例として、中継点１０２Ｂ２は、それが、アクセス端末１０２Ｃ３が中継点１０２Ｂ２に対して送信する必要があるよりも、アクセス端末１０２Ｃ３に対して送信すべき多くのデータを有することを決定することができる。これらの状態の下で、中継点１０２Ｂ２は、その受信タイムスロットのうちのいくつかを送信タイムスロットとして一時的に指定することができ、そしてアクセス端末１０２Ｃ３は、その送信タイムスロットのうちのいくつかを受信タイムスロットとして一時的に指定することができる。この概念は、図１および３に示されており、ここで中継点１０２Ｂ２は、タイムスロット６を送信スロットとして指定し、そしてアクセス端末１０２Ｃ３は、タイムスロット６を受信タイムスロットとして指定する。
【００３１】
図４Ａは、ワイヤレスネットワークの中の２つのワイヤレスノードの間の非対称なデータフローをサポートするタイムスロット構造のより詳細な一例を示す概念図である。この例においては、もともと奇数番号付けされたタイムスロット中に送信するように構成されている中継点１０２Ｂ２は、それが、受信タイムスロットから送信タイムスロットへとタイムスロット４をスワップすることになることを決定する。タイムスロット４において送信するために、中継点１０２Ｂ２は、タイムスロット１の第１の制御チャネル４０８上でＲＵＭについてリッスンする(listens)。ここで、中継点１０２Ｂ２は、今や、その送信タイムスロットのうちの１つの一部分中に情報を受信していることを理解すべきである。この目的を達成するために、タイムスロットは、中継点１０２Ｂ２が送信モードのオペレーションから受信モードのオペレーションへと、そして逆もまた同様に切り替ることを容易にするために、制御チャネルの前および／または後の保護時間(guard times)を用いて定義されることができる。
【００３２】
第１の制御チャネル４０８上で受信されるＲＵＭの分析の結果に応じて、中継点１０２Ｂ２は、１つまたは複数のタイムスロットのスワップを開始するために、第３の制御チャネル４１２上で送信すべき「要求」を送信することができる。例として、「要求」は、タイムスロット３（中継点１０２Ｂ２の通常の送信タイムスロット）中、ならびにタイムスロット４（スワップされるべきタイムスロット）中に送信すべき要求を含むことができる。それ故に、この場合には、「要求」は、固有のタイムスロットスワップ要求を含んでいる。対照的に、他のインプリメンテーションにおいては、中継点１０２Ｂ２は、最初に専用のメッセージ（例えば、スワップする要求）を送信することにより、アクセス端末１０２Ｃ３にタイムスロットスワップについて通知することができる。
【００３３】
中継点１０２Ｂ２は、第３の制御チャネル４１２上で他の制御情報を送信することができる。例として、中継点１０２Ｂ２は、タイムスロット２中に送信すべき、アクセス端末１０２Ｃ３による「要求」に応じて「認可」を送信することができる。さらに、中継点１０２Ｂ２は、タイムスロット０（図示されず）中にアクセス端末１０２Ｃ３から受信されるデータに応じて「肯定応答」を送信することができる。
【００３４】
タイムスロット１中に中継点１０２Ｂ２からの「要求」を受信した後に、アクセス端末１０２Ｃ３は、タイムスロット２中に第２の制御チャネル４１０上でタイムスロット３にわたって、あるいはタイムスロット３および４にわたって「認可」を送信することができる。すなわち、アクセス端末１０２Ｃ３は、複数のタイムスロットにわたって集合的な「認可」を発行することができ、あるいはタイムスロットごとのベースで複数の認可(grants)を発行することができる（例えば、「複数の要求(requests)」が、類似したベースで行われるときに）。いずれの場合にも、中継点１０２Ｂ２によって受信される「認可」は、第２の制御チャネル４１０上で送信される。
【００３５】
アクセス端末１０２Ｃ３は、タイムスロット４中にデータを送信していないことになるので、それは、タイムスロット２中に第３の制御チャネル４１２上で「要求」とパイロットとを送信する必要はないことになる。その代わりに、中継点１０２Ｂ２は、第３の制御チャネル４１２上でこの期間中にパイロットを送信することができる。ここで、アクセス端末１０２Ｃ３は、今や、送信タイムスロット（タイムスロット２）中に受信していることを理解すべきである。上記で論じられるように、保護時間は、アクセス端末１０２Ｃ３が、送信モードから受信モードへと、そして逆もまた同様に切り替ることを容易にするためにタイムスロット構造の中で第３の制御チャネル４１２に隣接して提供されることができる。
【００３６】
アクセス端末１０２Ｃ３はまた、タイムスロット５の中で中継点１０２Ｂ２からのデータ送信を受信するために備えて第１の制御チャネル４０８上でＲＵＭを送信することもできる。
【００３７】
次いで、中継点１０２Ｂ２は、要求されたタイムスロット（すなわち、タイムスロット３および４）中に１つまたは複数のデータチャネル４０６Ａ〜４０６Ｂ上でデータを送信することができる。
【００３８】
中継点１０２Ｂ２とアクセス端末１０２Ｃ３とは、スワッピングが、必要とされ、または許可される限り、タイムスロットのスワッピングをサポートするために適切な信号方式を提供し続けることができる。例として、中継点１０２Ｂ２は、タイムスロット３の第１の制御チャネル４０８上でタイムスロット６についての競合に関連するＲＵＭについてリッスンすることができる。次いで、中継点１０２Ｂ２は、タイムスロット５および６中に送信すべきパイロットと「要求」とを第３の制御チャネル４１２上で送信することができる。
【００３９】
アクセス端末１０２Ｃ３は、タイムスロット３にわたってのデータの受信に肯定応答するためにタイムスロット４中に第１および第２の制御チャネル４０８および４１０を使用し、タイムスロット５および６にわたって「認可」を発行し、そしてタイムスロット７にわたってＲＵＭを送信することができる。同様に、アクセス端末１０２Ｃ３は、タイムスロット４および５にわたってのデータの受信に肯定応答するためにタイムスロット６中に同じ制御チャネル４０８および４１０を使用し、タイムスロット７および８にわたって「認可」を発行し、そしてタイムスロット９にわたってＲＵＭを送信することができる。
【００４０】
ある時点において、中継点１０２Ｂ２とアクセス端末１０２Ｃ３との間のトラフィックフローは、対称的なフローへと戻して変更されることができる。図４Ｂは、ワイヤレスネットワークの中の２つのワイヤレスノードの間の対称的なデータフローへの戻す変更(change back)をサポートするタイムスロット構造の一例を示す概念図である。提示を明確にするために、図４Ｂもまた、タイムスロット１〜４について言及している。類似したタイムスロット番号付けの使用は、そのようなタイムスロットが、同じ時点を意味していることを示すようには意図されないことを理解すべきである。
【００４１】
図４Ｂに示されるように、タイムスロット１中に第３の制御チャネル４１２上で中継点１０２Ｂ２によって送信される要求メッセージは、タイムスロット３中にデータを送信すべき「要求」だけを含んでいる。言い換えれば、「要求」は、タイムスロット４中にデータを送信すべき要求を含んではいない。中継点１０２Ｂ２は、タイムスロット４中にデータを受信することを予想して第１の制御チャネル４０８上でＲＵＭを送信することもできる。
【００４２】
次いで、アクセス端末１０２Ｃ３は、タイムスロット２中に第１および第２の制御チャネル４０８および４１０上で、タイムスロット３に関連する「認可」と、タイムスロット５に関連するＲＵＭと、タイムスロット０および１中に受信されるデータについての「肯定応答」と、を送信する。さらに、アクセス端末１０２Ｃ３は、タイムスロット２中に第３の制御チャネル４１２上で「要求」とパイロットとを送信し、その結果、アクセス端末１０２Ｃ３は、タイムスロット４中にデータを中継点１０２Ｂ２に対して送信することができるようになる。元のタイムスロット指定の下のオペレーションは、アクセス端末１０２Ｃ３が、タイムスロット４中に第１および第２の制御チャネル４０８および４１０上で「認可」と、ＲＵＭと、「肯定応答」とを送信した後に、再開する。
【００４３】
次に別の例が、図５および６を参照して提示されることになり、ここではフレキシブル制御チャネルマッピングスキームが、ジャマー回避モードのオペレーションをサポートするために使用されることができる。図５は、ホームアクセスポイント（ＨＡＰ）設定の中で起こり得るジャマー状況の一例を示す概念図である。この例においては、アクセス端末５０４は、ＨＡＰ５０２を妨害し(jams)、そして逆もまた同様である。より詳細には、アクセス端末５０４が、ＨＡＰ５０８に対して送信しているときには、ＨＡＰ５０２は、アクセス端末５０６から受信することができない。同様に、ＨＡＰ５０２が、アクセス端末５０６に対して送信しているときには、アクセス端末５０４は、ＨＡＰ５０８から受信することができない。この状況においては、２つのリンク５１０と、５１２とは、図６に示されるようにどのようなタイムスロットもその遷移中に喪失することなく、チャネル上で交代することができる。
【００４４】
図６は、ジャマー回避モードのオペレーションをサポートするタイムスロット構造の一例を示す概念図である。この例においては、様々な制御メッセージ割当てが、制御メッセージが異なるチャネルに対してマッピングされることができるという理解を伴う説明を明確にするために提示されることになる。次に図６を参照すると、ＨＡＰ５０２は、アクセス端末５０４に、それが制御チャネル上で使用を断念する必要があることを知らせるために、タイムスロット１中に第１の制御チャネル５０８上でＲＵＭを送信する。ＲＵＭは、アクセス端末５０４においてエネルギー検出だけを必要とする予約された重み設定とすることができる。ＲＵＭを受信するとすぐに、アクセス端末５０４は、それが、前進する第３の制御チャネル５１２を使用することを断念する必要があることを決定する。この例においては、タイムスロット２の中で、アクセス端末５０４は、第２の制御チャネル５１０において、タイムスロット１の中で受信されるデータについての「肯定応答」を送信し、そしてそれがＲＵＭを受信していることと、そしてある固定期間、またはＲＵＭの重みの関数である期間の代わりに、それがもはやＲＵＭを聞かなくなるまで、第３の制御チャネルを使用して送信または受信することができなくなることと、をＨＡＰ５０８に対して信号で伝える。それはまた、アクセス端末５０４に信号で伝えるためには第２の制御チャネル５１０だけを使用すべきという、ＨＡＰ５０８に対する信号としての役割も果たす。タイムスロット３において、ＨＡＰ５０８は、それが、タイムスロットの中でアクセス端末５０４によって送信されるデータに肯定応答するためには、第２の制御チャネル５１０を使用することだけができることを知っている。それに対応して、ＲＵＭを送信したＨＡＰ５０２は、第２の制御チャネル５１０上でのアクセス端末５０４による制御メッセージの受信を妨害することを回避するために、第３の制御チャネル５１２を使用するだけである。アクセス端末５０４が、ＨＡＰ５０２に、代わりの制御チャネルの使用を断念させるために、ＲＵＭを送信したいと思う場合に、類似したプロシージャが、適用されることができる。
【００４５】
多数の他の利点が、フレキシブル制御チャネルマッピングスキームを通して得られることができる。例として、計画外の展開においては、非常に不利な立場に置かれるいくつかのワイヤレスノードが存在する可能性がある。制御についてのよりよい信頼性を可能にするために、制御メッセージは、より優れた堅牢性を提供するために、２つの制御チャネル上で送信されることができる。より高速のデータレート送信、またはより劣った処理能力を有するアクセス端末では、制御メッセージ割当ては、より長い復号時間を提供するために、（第２の制御チャネルと対照的に）第３の制御チャネル上で送信される「肯定応答」を用いて行われることができる。当業者(Those skilled in the art)は、計画外の展開、ならびに他のタイプのネットワークにおけるフレキシブル制御チャネルマッピングについての他の利点および用途を理解するであろう。
【００４６】
フレキシビリティを増大させるために、各制御チャネルは、サブチャネルまたは制御ユニットへと分割されることができる。一例においては、各制御チャネルは、タイムスロット内で時分割多重化される直交周波数分割多重化(orthogonal frequency division multiplexed)（ＯＦＤＭ）シンボルを備える。上記で説明されるタイムスロット構造を参照すると、第１の制御チャネルは、第１のＯＦＤＭシンボルとすることができ、第２の制御チャネルは、第２のＯＦＤＭシンボルとすることができ、第３の制御チャネルは、第３のＯＦＤＭシンボルとすることができる。各ＯＦＤＭシンボルは、各制御ユニットが任意の数のトーンを備えた、任意の数の制御ユニットへと分割されることができる。
【００４７】
図７は、５１２個のトーンを有するＯＦＤＭシンボルとして構成された制御チャネルの一例を示す概念図である。各制御ユニットは、３２個のトーンであるように定義される。各制御ユニットは、制御メッセージを送信するために使用されることができる。制御メッセージ内のフィールドは、送信される制御メッセージのタイプ（例えば、要求、認可、または肯定応答）を決定するために使用されることができる。代わりに、制御メッセージタイプを制御ユニットに対してマッピングする情報が、ワイヤレスノードの間で交換されることができる。いくつかの制御メッセージは、各制御メッセージタイプが、制御ユニット内の特定の１組のトーンに割り当てられて、単一の制御ユニットによって搬送されることができる。例として、「要求」は、制御ユニットの第１の１６個のトーンに割り当てられ、そして「認可」は、制御ユニットの中の第２の１６個のトーンに割り当てられることができる。代わりに、または追加して、制御メッセージは、複数の制御ユニットにわたって、そして複数の制御チャネルにわたって送信されることができる。制御ユニットは、シンボル内で、シンボルにわたってなどで異なるサイズのものとすることができる。また、ワイヤレス端末は、１つのサイズの制御ユニット上で送信し、そして別のサイズの制御ユニット上で受信することができる。
【００４８】
これまでに説明される代替的なマッピングスキームは、１つまたは複数の制御ユニットを他のノードのおのおのとの交換する制御メッセージに専用にすることによって、いくつかの他のノードとの通信をサポートするように最適化されることができる。関連するノードのうちの任意の１つとの通信をサポートするように割り当てられる１つまたは複数の制御ユニットは、静的であり、あるいは変化するトラフィック状態をサポートするように動的に変更されることができる。どの時点においても通信されることができる関連するノードの数を低減することを犠牲にして、より優れた堅牢性を提供するために、追加の制御ユニットは、関連する任意のワイヤレスノードとの通信をサポートするために割り当てられることができる。
【００４９】
ＯＦＤＭシンボルを備える時分割多重化制御チャネルの一例が提示されているが、当業者は、制御チャネルが他の多元接続技術を使用してインプリメントされることができることを理解するであろう。これらの多元接続技術は、例として、時分割多元接続(time division multiple access)（ＴＤＭＡ）技術、周波数分割多元接続(frequency division multiple access)（ＦＤＭＡ）技術、符号分割多元接続(code division multiple access)（ＣＤＭＡ）技術、直交周波数分割多元接続(orthogonal frequency division multiple access)（ＯＦＤＭＡ）技術、あるいは現在知られており、または将来において開発される他の適切な任意の多元接続技術、を含む。これらの多元接続技術の適切な任意の組合せも、各制御チャネルが、複数の制御ユニットを有する複数の制御チャネルをインプリメントするために使用されることができる。
【００５０】
図８は、ワイヤレスノードの機能の一例を示すブロック図である。以下の記述は、本質的に情報を与えるものであり、そして広く各ブロックの機能を定義する。本開示全体を通して説明される様々な概念に対する関連のある機能だけが、説明されることになる。当業者は、これらの機能ブロックは、ここにおいて説明されない他の機能を提供することができることを認識するであろう。この例においては、ワイヤレスノード８０２は、２つの機能ブロック：ネットワークアダプタ８０４と、処理システム８０６と、を含む。
【００５１】
ネットワークアダプタ８０４は、トランスミッタ機能と、レシーバ機能との両方を提供する。送信機能は、搬送波を情報で変調することを含んでいる。レシーバ機能は、情報を回復するために搬送波を復調することを含んでいる。ネットワークアダプタ８０４は、ＲＦフロントエンド処理、ＡＤＣ、タイミングおよび周波数の推定、チャネル推定、ターボ符号化など、様々な機能を提供する。要約すれば、ネットワークアダプタ８０４は、ワイヤレスノード８０２の完全な物理レイヤインプリメンテーションを提供する。
【００５２】
処理システム８０６は、ワイヤレスノードにおいて単独であれ、あるいは他のエンティティとの組合せであれ、いずれにおいても、物理レイヤ上ですべての機能をインプリメントするように構成されている。少なくとも１つのコンフィギュレーションにおいては、処理システム８０６は、ネットワークの中で他のワイヤレスノードとの通信をサポートするために、ネットワークアダプタ８０４のトランスミッタ機能とレシーバ機能とを使用するように構成されている。処理システム８０６は、各制御ユニットが、いくつかの制御ユニットを有する、いくつかのデータチャネルと制御チャネルとを有するタイムスロット構造をサポートする。送信モードにおいては、処理システム８０６は、様々な制御メッセージを制御ユニットに割り当て、そしてデータチャネル上でデータを送信する。受信モードにおいては、処理システム８０６は、制御ユニットによって搬送される様々な制御メッセージを受信し、そしてデータチャネル上でデータを受信する。制御メッセージは、例として、送信すべき「要求」と、送信すべき要求に応じた「認可」と、「肯定応答」と、ＲＵＭと、を含む。
【００５３】
ワイヤレスノード８０２は、アクセス端末、アクセスポイント、中継点、またはそれらの任意の組合せとして機能することができる。アクセス端末として機能するワイヤレスノード８０２は、ユーザインターフェース８０８を含むことができる。ユーザインターフェース８０８は、ディスプレイ、キーパッド、スピーカ、マイクロフォン、および／またはユーザがアクセス端末を操作することを可能にする他の適切な任意のインターフェース、を含むことができる。ユーザインターフェース８０８は、ネットワークアダプタ８０４によって維持されるワイヤレスアップリンク接続上で処理システム８０６によって送信され、そして受信されるデータを制御するために使用される。
【００５４】
アクセスポイントとして機能するワイヤレスノード８０２は、アクセス端末および／または中継点との適切な任意の数のワイヤレスダウンリンク接続を維持すること、ならびにバックホールをサポートするために１つまたは複数のアップリンク接続を維持すること、ができるネットワークアダプタ８０４を含んでいる。アップリンク接続は、有線であっても、あるいはワイヤレスであってもよい。例として、アクセスポイントは、中継点に対するワイヤレスダウンリンク接続と、別のネットワーク（例えば、インターネット）に対する有線アップリンク接続とをサポートすることができる。このコンフィギュレーションにおいては、処理システム８０６は、アップストリームワイヤレスノードとダウンストリームワイヤレスノードとの間のデータを効率的に経路指定するために、タイムスロット構造の中のデータチャネルと、制御チャネルとを利用する。
【００５５】
処理システム８０６は、１つまたは複数のプロセッサを含むことができる。プロセッサは、汎用マイクロプロセッサ、マイクロコントローラ、デジタル信号プロセッサ(Digital Signal Processor)（ＤＳＰ）、特定用途向け集積回路(Application Specific Integrated Circuit)（ＡＳＩＣ）、フィールドプログラマブルゲートアレイ(Field Programmable Gate Array)（ＦＰＧＡ）、プログラマブルロジックデバイス(Programmable Logic Device)（ＰＬＤ）、ロジック回路、個別ハードウェアコンポーネント、あるいは情報の計算または他の操作を実行することができる他の適切な任意のエンティティ、とすることができる。
【００５６】
処理システム８０４は、データストレージを提供するために、かつ／またはソフトウェアアプリケーションをサポートするために、１つまたは複数の機械可読媒体を含むこともできる。ソフトウェアは、ソフトウェア、ファームウェア、ミドルウェア、マイクロコード、ハードウェア記述言語、またはそれ以外のいずれと称されようと、命令、プログラム、コード、または他の任意の電子メディアコンテンツを意味するように広く解釈されるべきである。機械可読媒体は、ＡＳＩＣを伴う場合の可能性があるなど、プロセッサと一体化されたストレージを含むことができる。機械可読媒体はまた、ランダムアクセスメモリ(Random Access Memory)（ＲＡＭ）、フラッシュメモリ、リードオンリーメモリ(Read Only Memory)（ＲＯＭ）、プログラマブルリードオンリーメモリ(Programmable Read-Only Memory)（ＰＲＯＭ）、消去可能ＰＲＯＭ(Erasable PROM)（ＥＰＲＯＭ）、レジスタ、ハードディスク、着脱可能ディスク、ＣＤ−ＲＯＭ、ＤＶＤ、他の適切な任意のストレージデバイスなど、プロセッサの外部のストレージを含むこともできる。さらに、機械可読媒体は、伝送回線、あるいはデータ信号を符号化する搬送波を含むこともできる。当業者は、どのようにして最も良く処理システムのための説明された機能をインプリメントすべきかを認識するであろう。
【００５７】
図９は、処理システムの機能の一例を示すブロック図である。この例においては、処理システム９００は、複数のデータチャネルと複数の制御チャネルとを有するタイムスロット構造を使用して別のワイヤレスノードと通信するためのモジュール９０２と、なお制御チャネルのおのおのは、複数の制御ユニットを備える；データチャネルについての複数の制御メッセージのうちの任意の１つを制御ユニットのうちの任意の１つに割り当てるためのモジュール９０４と；を含む。
【００５８】
上記説明は、当業者(any person skilled in the art)が、ここにおいて説明される様々な態様を実行することを可能にするために提供される。これらの態様に対する様々な修正は、当業者には簡単に明らかになり、そしてここにおいて定義される包括的な原理は、他の態様に対しても適用されることができる。したがって、特許請求の範囲は、ここにおいて示される態様だけに限定されるようには意図されず、言語の特許請求の範囲と整合した全範囲を与えられるべきであり、そこで単数の要素に対する言及は、特にそのように述べられない限り、「１つで唯一」を意味するようにではなく、正確に言えば「１つまたは複数」を意味するように意図される。その他の方法で特に述べられない限り、用語「いくつか(some)」は、１つまたは複数を意味する。当業者に知られている、または後で知られるようになる、本開示全体を通して説明される様々な態様の要素に対するすべての構造的な、そして機能的な同等物は、参照によってここにおいて明示的に組み込まれ、そして特許請求の範囲によって包含されるように意図される。さらに、ここにおいて開示されるものは何も、そのような開示が、特許請求の範囲の中で明確に列挙されるかどうかにかかわらず、公開に捧げられるようには意図されない。請求要素は、その要素が、語句「ための手段(means for)」を使用して明示的に列挙されない限り、あるいは方法請求項の場合において、要素が語句「ためのステップ(step for)」を使用して列挙されない限り、３５Ｕ．Ｓ．Ｃ．§１１２、第６パラグラフの規定(provisions)の下で解釈されるべきではない。
以下に本件出願当初の特許請求の範囲を付記する。
［Ｃ１］
複数のデータチャネルと複数の制御チャネルとを有するタイムスロット構造を使用してリモートノードと通信するように構成された処理システム、を備えたワイヤレス通信のための装置であって、
前記制御チャネルのおのおのは、複数の制御ユニットを備え、前記処理システムは、さらに、前記データチャネルについての複数の制御メッセージのうちの任意の１つを前記制御ユニットのうちの任意の１つに割り当てるように構成されている、装置。
［Ｃ２］
前記のデータチャネルと制御チャネルとは、時分割多重化チャネルを備える、［Ｃ１］記載の装置。
［Ｃ３］
前記制御チャネルのおのおのは、複数のトーンを有するＯＦＤＭシンボルを備え、前記制御ユニットのおのおのは、前記制御チャネルのうちの１つについての前記トーンの一部分を備える、［Ｃ２］記載の装置。
［Ｃ４］
前記制御メッセージのうちの１つは、送信すべき要求を備える、［Ｃ１］記載の装置。
［Ｃ５］
前記制御メッセージのうちの１つは、送信要求に応じた認可を備える、［Ｃ１］記載の装置。
［Ｃ６］
前記制御メッセージのうちの１つは、送信が、正常に受信されているという肯定応答を備える、［Ｃ１］記載の装置。
［Ｃ７］
前記制御チャネルのうちの第１のものは、タイムスロットの中で前記制御チャネルのうちの第２のものに先行し、前記処理システムは、さらに、送信するリモートノードの処理能力の関数として前記制御メッセージのうちの１つを前記制御チャネルのうちの前記第２のものに割り当てるように構成されている、［Ｃ１］記載の装置。
［Ｃ８］
前記処理システムは、さらに、１つのタイムスロットの中で、前記制御チャネルのうちの第１のもの上で受信するように、そして前記制御チャネルのうちの第２のもの上で送信するように、構成されている、［Ｃ１］記載の装置。
［Ｃ９］
前記処理システムは、さらに、１つおきのタイムスロットの中で前記データチャネル上で送信することを備える第１モードと、連続したタイムスロットの中で前記データチャネル上で送信することを備える第２モードとの間で切り替るように構成されている、［Ｃ１］記載の装置。
［Ｃ１０］
前記処理システムは、さらに、前記第１モードにおいて、前記１つおきのタイムスロットのうちの少なくとも１つの中で、前記制御チャネルのうちの第１および第２のものの上で送信するように構成されており、前記処理システムは、さらに、前記連続したタイムスロットのうちの少なくとも１つの中で、前記第２モード中に、前記制御チャネルのうちの前記第１のものの上で受信するように、そして前記制御チャネルのうちの前記第２のものの上で送信するように、構成されている、［Ｃ９］記載の装置。
［Ｃ１１］
前記制御メッセージのうちの１つは、送信の衝突回避モードについての要求を備える、［Ｃ１］記載の装置。
［Ｃ１２］
前記処理システムは、さらに、前記制御チャネルのうちの１つの上で前記制御メッセージのうちの前記１つを送信するように構成されており、前記処理システムは、さらに、前記制御メッセージのうちの前記１つに続いて少なくとも１つのタイムスロット中に１つまたは複数の異なる制御チャネル上で他のすべての制御メッセージをリモートノードと通信するように構成されている、［Ｃ１１］記載の装置。
［Ｃ１３］
前記処理システムは、さらに、前記制御チャネルのうちの第１のものの上で前記制御メッセージのうちの前記１つを受信するように構成されており、前記処理システムは、さらに、前記メッセージに続いて少なくとも１つのタイムスロット中に制御メッセージをリモートノードと通信するための前記制御チャネルのうちの第２のものを使用することを回避するように構成されている、［Ｃ１１］記載の装置。
［Ｃ１４］
前記処理システムは、さらに、１つのタイムスロットの中で前記制御チャネルのうちの少なくとも２つの上で前記制御メッセージのうちの１つを送信するように構成されている、［Ｃ１］記載の装置。
［Ｃ１５］
通信の方法であって、
複数のデータチャネルと複数の制御チャネルとを有するタイムスロット構造を使用してリモートノードと通信することと、なお前記制御チャネルのおのおのは、複数の制御ユニットを備え、そして前記制御ユニットのおのおのは、前記データチャネルについての複数の制御メッセージのうちの任意の１つを搬送することができる；
前記制御メッセージのうちの１つを前記制御ユニットのうちの１つに割り当てることと；
を備える方法。
［Ｃ１６］
前記のデータチャネルと制御チャネルとは、時分割多重化チャネルを備える、［Ｃ１５］記載の方法。
［Ｃ１７］
前記制御チャネルのおのおのは、複数のトーンを有するＯＦＤＭシンボルを備え、そして前記制御ユニットのおのおのは、前記制御チャネルのうちの１つについての前記トーンの一部分を備える、［Ｃ１６］記載の方法。
［Ｃ１８］
前記制御メッセージのうちの前記１つは、送信すべき要求を備える、［Ｃ１５］記載の方法。
［Ｃ１９］
前記制御メッセージのうちの前記１つは、送信要求に応じた認可を備える、［Ｃ１５］記載の方法。
［Ｃ２０］
前記制御メッセージのうちの前記１つは、送信が、正常に受信されているという肯定応答を備える、［Ｃ１５］記載の方法。
［Ｃ２１］
前記制御チャネルのうちの第１のものは、タイムスロットの中で前記制御チャネルのうちの第２のものに先行し、そして前記制御メッセージのうちの前記１つは、送信するリモートノードの処理能力の関数として前記制御チャネルのうちの前記第２のものの中で前記制御ユニットのうちの前記１つに割り当てられる、［Ｃ１５］記載の方法。
［Ｃ２２］
１つのタイムスロットの中で、前記制御チャネルのうちの第１のものの上で受信することと、前記制御チャネルのうちの第２のものの上で送信することと、をさらに備える［Ｃ１５］記載の方法。
［Ｃ２３］
１つおきのタイムスロットの中で前記データチャネル上で送信することを備える第１のモードと、連続したタイムスロットの中で前記データチャネル上で送信することを備える第２のモードとの間で切り替ること、をさらに備える［Ｃ１５］記載の方法。
［Ｃ２４］
前記第１のモードにおいて、前記１つおきのタイムスロットのうちの少なくとも１つの中で、前記制御チャネルのうちの第１および第２のものの上で送信することと、前記連続したタイムスロットのうちの少なくとも１つの中で、前記第２のモード中に、前記制御チャネルのうちの前記第１のものの上で受信する、そして前記制御チャネルのうちの前記第２のものの上で送信することと、をさらに備える［Ｃ２３］記載の方法。
［Ｃ２５］
前記制御メッセージのうちの第２のものは、衝突回避モードの送信についての要求を備える、［Ｃ１５］記載の方法。
［Ｃ２６］
前記制御チャネルのうちの第１のものの上で前記制御メッセージのうちの前記第２のものを送信することと、前記制御メッセージのうちの前記第２のものに続いて少なくとも１つのタイムスロット中に前記制御チャネルのうちの第２のものの上で他のすべての制御メッセージをリモートノードと通信することと、をさらに備える［Ｃ２５］記載の方法。
［Ｃ２７］
前記制御チャネルのうちの第１のものの上で前記制御メッセージのうちの前記第２のものを受信することと、前記メッセージに続いて少なくとも１つのタイムスロット中に制御メッセージをリモートノードと通信するための前記制御チャネルのうちの第２のものを使用することを回避することと、をさらに備える［Ｃ２５］記載の方法。
［Ｃ２８］
１つのタイムスロットの中で前記制御チャネルのうちの少なくとも２つの上で前記制御メッセージのうちの前記１つを送信すること、をさらに備える［Ｃ１５に］記載の方法。
［Ｃ２９］
ワイヤレス通信のための装置であって、
複数のデータチャネルと複数の制御チャネルとを有するタイムスロット構造を使用してリモートノードと通信するための手段と、なお前記制御チャネルのおのおのは、複数の制御ユニットを備える；
前記データチャネルについての複数の制御メッセージのうちの任意の１つを前記制御ユニットのうちの任意の１つに割り当てるための手段と；
を備える装置。
［Ｃ３０］
前記のデータチャネルと制御チャネルとは、時分割多重化チャネルを備える、［Ｃ２９］記載の装置。
［Ｃ３１］
前記制御チャネルのおのおのは、複数のトーンを有するＯＦＤＭシンボルを備え、そして前記制御ユニットのおのおのは、前記制御チャネルのうちの１つについての前記トーンの一部分を備える、［Ｃ３０］記載の装置。
［Ｃ３２］
前記制御メッセージのうちの１つは、送信すべき要求を備える、［Ｃ２９］記載の装置。
［Ｃ３３］
前記制御メッセージのうちの１つは、送信要求に応じた認可を備える、［Ｃ２９］記載の装置。
［Ｃ３４］
前記制御メッセージのうちの１つは、送信が、正常に受信されているという肯定応答を備える、［Ｃ２９］記載の装置。
［Ｃ３５］
前記制御チャネルのうちの第１のものは、タイムスロットの中で前記制御チャネルのうちの第２のものに先行し、そして前記装置は、送信するリモートノードの処理能力の関数として前記制御メッセージのうちの１つを前記制御チャネルのうちの前記第２のものに割り当てるための手段、をさらに備える、［Ｃ２９］記載の装置。
［Ｃ３６］
１つのタイムスロットの中で、前記制御チャネルのうちの第１のものの上で受信する、そして前記制御チャネルのうちの第２のものの上で送信するための手段、をさらに備える［Ｃ２９］記載の装置。
［Ｃ３７］
１つおきのタイムスロットの中で前記データチャネル上で送信することを備える第１のモードと、連続したタイムスロットの中で前記データチャネル上で送信することを備える第２のモードとの間で切り替るための手段、をさらに備える［Ｃ２９］記載の装置。
［Ｃ３８］
前記第１のモードにおいて、前記１つおきのタイムスロットのうちの少なくとも１つの中で、前記制御チャネルのうちの第１および第２のものの上で送信するための手段と、前記連続したタイムスロットのうちの少なくとも１つの中で、前記第２のモード中に、前記制御チャネルのうちの前記第１のものの上で受信する、そして前記制御チャネルのうちの前記第２のものの上で送信するための手段と、をさらに備える［Ｃ３７］記載の装置。
［Ｃ３９］
前記制御メッセージのうちの１つは、衝突回避モードの送信についての要求を備える、［Ｃ２９］記載の装置。
［Ｃ４０］
前記制御チャネルのうちの１つの上で前記制御メッセージのうちの前記１つを送信するための手段と、前記制御メッセージのうちの前記１つに続いて少なくとも１つのタイムスロット中に１つまたは複数の異なる制御チャネル上で他のすべての制御メッセージをリモートノードと通信するための手段と、をさらに備える［Ｃ３９
］記載の装置。
［Ｃ４１］
前記制御チャネルのうちの第１のものの上で前記制御メッセージのうちの前記１つを受信するための手段と、前記メッセージに続いて少なくとも１つのタイムスロット中に制御メッセージをリモートノードと通信するための前記制御チャネルのうちの第２のものを使用することを回避するための手段と、をさらに備える［Ｃ３９
］記載の装置。
［Ｃ４２］
１つのタイムスロットの中で前記制御チャネルのうちの少なくとも２つの上で前記制御メッセージのうちの１つを送信するための手段、をさらに備える［Ｃ２９に］記載の装置。
［Ｃ４３］
ワイヤレス通信のためのコンピュータプログラムプロダクトであって、
複数のデータチャネルと複数の制御チャネルとを有するタイムスロット構造を使用してリモートノードと通信するように、なお前記制御チャネルのおのおのは、複数の制御ユニットを備える；そして
前記データチャネルについての複数の制御メッセージのうちの任意の１つを前記制御ユニットのうちの任意の１つに割り当てるように；
処理システムによって実行可能な命令を備える機械可読媒体、
を備えるコンピュータプログラムプロダクト。
［Ｃ４４］
ワイヤレス通信のためのアクセス端末であって、
複数のデータチャネルと複数の制御チャネルとを有するタイムスロット構造を使用してリモートノードと通信するように構成された処理システムと、なお前記制御チャネルのおのおのは、複数の制御ユニットを備え、前記処理システムは、さらに、前記データチャネルについての複数の制御メッセージのうちの任意の１つを前記制御ユニットのうちの任意の１つに割り当てるように構成されている；
ユーザが、前記処理システムと、前記リモートノードとの間の通信を制御することを可能にするように構成されたユーザインターフェースと；
を備えるアクセス端末。
［Ｃ４５］
ネットワークに対してリモートノードについてのバックホールをサポートするように構成されたワイヤレスネットワークアダプタと、
複数のデータチャネルと複数の制御チャネルとを有するタイムスロット構造を使用して前記リモートノードと通信するように構成された処理システムと、
を備え、前記制御チャネルのおのおのは、複数の制御ユニットを備え、前記処理システムは、さらに、前記データチャネルについての複数の制御メッセージのうちの任意の１つを前記制御ユニットのうちの任意の１つに割り当てるように構成されている、アクセスポイント。
【図１】
0005415450.tif 000002
【図２】
0005415450.tif 000003
【図３】
0005415450.tif 000004
【図４Ａ】
0005415450.tif 000005
【図４Ｂ】
0005415450.tif 000006
【図５】
0005415450.tif 000007
【図６】
0005415450.tif 000008
【図７】
0005415450.tif 000009
【図８】
0005415450.tif 000010
【図９】
0005415450.tif 000011